(57)【要約】【課題】  ハウジングから導出されるリード線の固定を簡単に行うことができる液晶表示装置を提供すること。【解決手段】  液晶表示パネルと、照明ユニット１０とを備えた液晶表示装置１において、前記照明ユニット１０は、矩形状の底壁面を有しその側周縁部に前記底壁面の一部を切欠いて背面へ突出させた切起片１４１、１４２を有するハウジング１１と、前記ハウジング１１に照明部材を収容し、この照明部材を固定する中央部に表示窓２００を有する額縁状の中間枠２０と、を備え、前記中間枠２０は、前記切起片１４１、１４２に対応する箇所に、切起片を切り起す際に形成された開口部１４０に挿入される係止片２３１が設けられ、前記ハウジング１１に前記中間枠２０が固定されたときに前記切起片１４１、１４２と前記係止片２３１との間に形成される隙間が前記照明部材から導出されたリード線４を挟み込み固定するリード線固定部となることを特徴とする。【選択図】        図２
2005283866.tif 000002
【特許請求の範囲】
【請求項１】
液晶表示パネルと、前記液晶表示パネルを照射する照明ユニットとを備えた液晶表示装置において、前記照明ユニットは、矩形状の底壁面を有しその側周縁部に前記底壁面の一部を切欠いて背面へ突出させた切起片を有するハウジングと、前記ハウジングに照明部材を収容し、この照明部材を固定する中央部に表示窓を有する額縁状の中間枠とを備え、前記中間枠は、前記切起片に対応する箇所に、切起片を切り起す際に形成された開口部に挿入される係止片が設けられ、前記ハウジングに前記中間枠が固定されたときに前記切起片と前記係止片との間に形成される隙間が前記照明部材から導出されたリード線を挟み込み固定するリード線固定部となることを特徴とする液晶表示装置。
【請求項２】
前記リード線固定部は、前記リード線が照明ユニットから導出される位置の近傍に位置する側周縁部に設けられることを特徴とする請求項１に記載の液晶表示装置。
【請求項３】
前記ハウジングは、薄板板金で形成され、前記中間枠は、合成樹脂材で形成されていることを特徴とする請求項１又は２記載の液晶表示装置。
【請求項４】
前記中間枠と前記ハウジングとには、それぞれ係止手段が設けられて結合されていることを特徴とする請求項１〜３の何れか１項に記載の液晶表示装置。
【発明の詳細な説明】
【技術分野】
【０００１】
本発明は液晶表示装置に係り、詳しくは、ハウジングから導出されるリード線を固定するためのリード線固定部を設けた液晶表示装置に関する。
【背景技術】
【０００２】
液晶表示装置は、他の表示装置と比べて、低消費電力、軽量、省スペース等の特徴を備えていることから、パーソナルコンピュータ、カーナビゲーション、テレビジョン及び各種ＯＡ機器等の表示装置として広く使用されている。
【０００３】
一方、これらの機器は、年々、多機能化、高性能化、利便性の向上及び低コスト化等が進展しており、この進展に追従して、液晶表示装置も一層の高品質化、低消費電力化、軽量化、省スペース化及び低コスト化等の改善が要求されている。
【０００４】
これらの液晶表示装置には、通常、明るい表示画面を実現するために、各種の光源を備えた照明ユニットが付設され、この照明ユニットにより液晶パネルの背後から光を照射するようになっている。そして、この照明ユニットは、光源の取付け位置によって、２つの異なったタイプに大別され、その一つは、導光板の側端面に沿って光源を配置したエッジライト型であり、他は、導光板の裏面に光源を配置した直下型である。このうちエッジライト型は、薄型化と発光面の輝度均一性が優れているので、薄さを優先する機器に多く採用されている。また、直下型は、大型の光源を配設できるので、高輝度が必要とされる機器に採用されている。
【０００５】
そして、これらの照明ユニットは、光源へ電力を供給するために、液晶表示装置から電源供給用のリード線が導出されているが、このリード線が外部から引っ張られると、その力が光源の端子とリード線との接続部に直接伝わり、断線や接触不良等を起こす恐れがある。
【０００６】
このような不具合を解消するために、本体ケースのリード線導出口の付近にリード線固定手段が設けられている。
【０００７】
この固定手段は、通常、額縁状の支持枠の隅部に保持部材が配設され、これらの保持部材を利用してリード線を固定するようになっている。（例えば、特許文献１参照。）
図５は、下記特許文献１に記載された液晶表示装置を示す斜視図であって、この装置は、導光板１２１を支持する額縁状の支持枠１１３の各隅部にそれぞれ保持部材１３１ａ〜１３１ｄが配設され、これらの保持部材１３１ａ〜１３１ｄによって、液晶表示板１１１、導光板１２１及び光源１２２を位置決めし、更にこれらのうち、２個の保持部材１３１ｂ、１３１ｃでリード線１２２ａを固定できるようになっている。
【０００８】
また、支持枠と別体の保持部材を用いることなく、支持枠に直接リード線固定部を形成した液晶表示装置も知られている。（例えば、特許文献２参照。）
図６は、下記特許文献２に記載された液晶表示装置のリード線固定部を拡大した拡大斜視図である。
【０００９】
このリード線固定部１５０は、光源部の挿入口付近で金属フレーム１５１から中間枠１５２を露出させ、この中間枠１５２に形成されたもので、この固定部１５０は溝１５３とリード線支持部１５４とで構成されている。そして光源部から伸びたリード線１５５は、中間枠１５２の側面側に９０度屈曲して溝１５３の一方の端部に配置し、溝１５３内の屈曲点に沿って屈曲させた状態で収納し、溝１５３の他方の端部から装置の外側に取り出すことができるようになっている。
【特許文献１】特開平５−６６３９０号公報（図２、段落［０００７］）
【特許文献２】特開２００３−２２３１１０号公報（図２、段落［００２２］〜［００２５］）
【発明の開示】
【発明が解決しようとする課題】
【００１０】
これらの液晶表示装置は、光源の着脱時にリード線も容易に着脱でき、断線などの不具合を防ぐことができる。しかしながら、特許文献１に記載された液晶表示装置は、リード線固定部として、支持枠とは別体の複数個の固定部材を使用し、そのうちの数個をリード線固定部に兼用しているので、部品点数が多くなり、組立及びリード線の固定作業が面倒になっている。また、特許文献２に記載された液晶表示装置は、中間枠にリード線固定部が形成されているので、この中間枠の形状に合わせて金属フレームを加工しなければならずその加工が面倒である。
【００１１】
そこで、本発明は、上記従来技術の課題を解決するためになされたものであり、発明の目的は、ハウジングから導出されるリード線の固定を簡単に行うことができる液晶表示装置を提供することにある。
【課題を解決するための手段】
【００１２】
前記課題を解決するために、本願の請求項１に係る液晶表示装置は、液晶表示パネルと、前記液晶表示パネルを照射する照明ユニットとを備えた液晶表示装置において、前記照明ユニットは、矩形状の底壁面を有しその側周縁部に前記底壁面の一部を切欠いて背面へ突出させた切起片を有するハウジングと、前記ハウジングに照明部材を収容し、この照明部材を固定する中央部に表示窓を有する額縁状の中間枠とを備え、前記中間枠は、前記切起片に対応する箇所に、切起片を切り起す際に形成された開口部に挿入される係止片が設けられ、前記ハウジングに前記中間枠が固定されたときに前記切起片と前記係止片との間に形成される隙間が前記照明部材から導出されたリード線を挟み込み固定するリード線固定部となることを特徴とする。
【００１３】
また、本願の請求項２に係る発明は、請求項１に記載の液晶表示装置に係り、前記リード線固定部は、前記リード線が照明ユニットから導出される位置の近傍に位置する側周縁部に設けられることを特徴とする。
【００１４】
また、本願の請求項３に係る発明は、請求項１又は２に記載の液晶表示装置に係り、前記ハウジングは、薄板板金で形成され、前記中間枠は、合成樹脂材で形成されていることを特徴とする。
【００１５】
また、本願の請求項４に係る発明は、請求項１〜３の何れか１項に記載の液晶表示装置に係り、前記中間枠と前記ハウジングとには、それぞれ係止手段が設けられて結合されていることを特徴とする。
【発明の効果】
【００１６】
請求項１の発明によれば、照明ユニットの中間枠及びハウジングの一部の簡単な加工でリード線の固定が可能になる。すなわち中間枠の係止片とハウジングの切起片とでリード線の固定ができるので、従来技術のように別部材の固定部材を用いることがなく、また、中間枠を複雑な形状に形成する必要もなくなる。
【００１７】
その結果、部品点数を増やすことなく、また、複雑な形状の中間枠を使用することなく、リード線固定部を中間枠及びハウジングの一部の簡単な加工で形成できる。しかも、中間枠をハウジングに装着する際にリード線固定部を形成できるので、特別な組立て作業等を行うことなくリード線固定部を形成できる。
【００１８】
請求項２の発明によれば、前記照明部材の光源に近接した箇所で光源に接続されたリード線を効率よく固定することが可能になる。
【００１９】
請求項３の発明によれば、切起片及び係止片の形成が極めて簡単になる。
【００２０】
請求項４の発明によれば、中間枠をハウジングに装着する際にリード線固定部を形成でき、しかも、中間枠とハウジングとの係止手段による結合により、リード線固定部の移動を防ぐことが可能になる。
【発明を実施するための最良の形態】
【００２１】
以下、本発明の具体例を実施例及び図面を用いて詳細に説明する。但し、以下に示す実施例は、本発明の技術思想を具体化するための液晶表示装置を例示するものであって、本発明をこれらに特定することを意図するものではなく、特許請求の範囲に含まれるその他の実施形態のものも等しく適応し得るものである。
【実施例】
【００２２】
図１は本発明の一実施例の液晶表示装置を示す背面斜視図、図２は図１の液晶表示装置を分解して示す分解斜視図、図３は図１のＡ部分を拡大した拡大斜視図、図４は液晶表示装置のリード線固定部の拡大断面図である。なお、図２では、回路基板、液晶表示パネル、背面カバー、及び外枠が取り除かれ、照明ユニットのみが示されている。
【００２３】
本発明の液晶表示装置１は、図１に示すように、照明ユニット１０（図２参照）と、液晶表示パネルＬＰ（後述の図４参照）と、外枠３０と、背面カバー１７とから構成されている。
【００２４】
液晶表示パネルＬＰは、周知の液晶表示パネルと同様のものを使用し、外枠３０は照明ユニット１０と液晶表示パネルＬＰとを一体に固定するための枠辺３０１〜３０４からなる矩形状の枠体であり、背面カバー１７は、ハウジングの背面に位置する回路基板を保護する保護カバーである。
【００２５】
照明ユニット１０は、図２に示すように、ハウジング１１と、このハウジング１１内に収容された照明部材ＵＴ（後述の図４参照）と、この照明部材ＵＴの上に配設され照明部材ＵＴを固定する額縁状の中間枠２０とを備えている。ハウジング１１の背面には、液晶駆動回路素子が搭載された回路基板（図示省略）が装着され、この回路基板は背面カバー１７で覆われている。
【００２６】
ハウジング１１は、図２に示すように、矩形状の底壁１２と、この底壁面の外周囲から折曲して起立され所定の高さを有する側壁１３１〜１３４とを備え、上部が開口した浅底の箱状をなし、板金加工によって形成されている。各側壁１３１〜１３４は、ハウジング１１の各隅部に所定の隙間１３０が形成され、この隙間からリード線４が導出される。また、ハウジング１１は、後述する照明部材ＵＴを収容できる大きさに形成される。
【００２７】
ハウジング１１の底壁１２には、底壁面の外周縁に近接した箇所に、背面へ突出した複数個の突起１２１、１２２及び複数個の切起片１４１、１４２が形成されている。複数個の突起１２１、１２２は、液晶表示装置１が机上等に載置されたとき平坦に支持するもので、各突起１２１、１２２は同じ高さになっている。また、複数個の切起片１４１、１４２は、底壁面を所定範囲で切り欠き、切欠片の一部を背面方向に切り起して形成される。このうち、ハウジング１１の側壁１３４に設けられた切起片１４１は、リード線４固定部の一部として利用される。
【００２８】
また、切起片１４１を形成する際に出来る底壁１２の開口１４０は、図４に示すように、後述する中間枠２０の係止片２３１が挿入される大きさに形成される。この開口１４０は、切起片１４１を形成する際に出来た切欠口をそのまま利用しても、或は、この切欠口を加工して更に大きくしてもよく、この開口１４０の大きさは、リード線４の太さ及び本数によって決められる。
【００２９】
また、ハウジング１１の各短辺側壁１３３、１３４には、複数個の係止開口１５１が形成されている。これらの係止開口１５１は、中間枠２０の係止爪２２１と係合される。
【００３０】
中間枠２０は、ハウジング１１の上部の開口を覆いハウジング１１の側壁１３１〜１３４と係合され、ハウジング１１内に収容される照明部材ＵＴを固定するもので、合成樹脂により形成されている。
【００３１】
中間枠２０は、長短の枠辺２０１〜２０４からなり、前記枠辺２０１〜２０４は何れも幅狭に形成され、枠辺２０１〜２０４が額縁状に形成されることにより中央部にほぼ矩形状の表示窓が形成されている。これらの枠辺２０１〜２０４のうち、対向する短辺２０３、２０４の枠辺には、所定高さの側壁２１３、２１４が起立され、これらの側壁２１３、２１４には複数個の係止爪２２１が形成されており、係止爪２２１は各側壁２１３、２１４の側面に形成されている。
【００３２】
照明部材ＵＴは、図４に示すように、ハウジング１１の底壁面に敷設される反射シートと、この反射シートの上に載置される導光板と、この導光板の対向する側壁面に沿って配設される光源（図示省略）と、導光板の上に載置される光学シートと、導光板及び光学シートを位置決め固定する中間枠２０とからなる。各光源から複数本のリード線４が導出されている。
【００３３】
反射シートは、ハウジングの底壁面の大きさとほぼ同じ大きさを有し、高反射率を有する白色の樹脂製フィルムで形成されている。また、導光板は、矩形状をなし所定の肉厚を有する板状体からなり、例えば、乳白色のアクリル系樹脂材で形成されている。更に、光学シートは、複数枚のシート、例えば拡散シート及び集光シートからなり、導光板とほぼ同じ大きさに形成されている。
【００３４】
本発明の液晶表示装置１の組立工程を以下に詳述する。まず、照明ユニット１０のハウジング１１に照明ユニットＵＴを収納する。すなわち、ハウジング１１の底壁面に反射シートを敷設し、その上に導光板を載置し、更に、この導光板の上に複数枚の光学シートを積層する。また、導光板の側壁面に沿って光源（図示省略）を配設し、この光源に接続された複数本のリード線４をハウジング１１の一つの隙間１３０からハウジング１１の背面へ導出する。次いで、中間枠２０で光学シートの一側縁部を押えて、この中間枠２０の係止爪２２１をハウジング１１の係止開口１５１に係止させて固定する。
【００３５】
その後、中間枠２０内に液晶表示パネルＬＰを嵌め、外枠３０で液晶表示パネルＬＰの表面の外周縁部を覆い、この外枠３０をネジ等の固定手段を用いてハウジング１１に固定する。
【００３６】
この組立により、中間枠２０の複数個の係止片２３１は、ハウジング１１の開口１４０からハウジング１１の背面に突出し、係止片２３１とハウジング１１の切起片１４１との間に隙間が形成される。この隙間に、図１、３、及び４に示すように、各光源から導出されたリード線４を挟み固定する。
【００３７】
各リード線４は、図３、４に示すように、複数本のリード線４を纏めて柔軟性を有するチューブ４０に挿入して固定することが好ましい。また、係止片２３１の先端部を鉤状にすることが好ましく、これにより、リード線４を保護できると共に、リード線４が隙間から外れることを防止できる。
【図面の簡単な説明】
【００３８】
【図１】図１は本発明の一実施例の液晶表示装置を示す背面斜視図、
【図２】図２は図１の液晶表示装置を分解して示す分解斜視図、
【図３】図３は図１のＡ部分を拡大した拡大斜視図、
【図４】図４は液晶表示装置のリード線固定部の拡大断面図、
【図５】図５は特許文献１に記載された液晶表示装置を示す斜視図、
【図６】図６は特許文献２に記載された液晶表示装置のリード線固定部を拡大した拡大斜視図。
【符号の説明】
【００３９】
１            液晶表示装置
４            リード線
４０            チューブ
１０          照明ユニット
１１          ハウジング
１２          底壁
１２１、１２２  突起
１３１〜１３４  側壁
１４１、１４２  切起片
１４０          開口
１５１          係止開口
１７          背面カバー
２０          中間枠
２０１〜２０４  枠辺
２１３、２１４  側壁
２２１          係止爪
２３１          係止片
３０          外枠
３０１〜３０４  枠辺
【図１】
2005283866.tif 000003
【図２】
2005283866.tif 000004
【図３】
2005283866.tif 000005
【図４】
2005283866.tif 000006
【図５】
2005283866.tif 000007
【図６】
2005283866.tif 000008